(57)【要約】【課題】電源等を固定するための固定部材の固定要素を、照明光が拡散反射する領域から外すことができるとともに、組み立て作業が容易な照明装置を提供する。【解決手段】本発明の照明装置１は、天井面に取り付けられる長尺状の器具本体１０と、発光素子２１を実装する基板２０及び該基板２０を保持する保持部材２２から構成される光源と、光源を上部に取り付けた状態で、器具本体１０の下側に着脱自在に装着される長尺状のカバーユニット３０と、を備え、カバーユニット３０の上部には、発光素子２１がカバーユニット３０の内部に向かって露出するように開口部３２ｃが形成されており、カバーユニット３０の上部における開口部３２ｃの長手方向両側の周辺部３２ｄ、３２ｅと保持部材２２との間に空間３３が形成されている。【選択図】図２
2019012644.tif 000002
【特許請求の範囲】
【請求項１】
天井面に取り付けられる長尺状の器具本体と、
発光素子を実装する基板及び該基板を保持する保持部材から構成される光源と、
該光源を上部に取り付けた状態で、前記器具本体の下側に着脱自在に装着される長尺状のカバーユニットと、を備え、
前記カバーユニットの上部には、前記発光素子が前記カバーユニットの内部に向かって露出するように開口部が形成されており、
前記カバーユニットの上部における前記開口部の長手方向両側の周辺部と前記保持部材との間に空間が形成されていることを特徴とする照明装置。
【請求項２】
前記周辺部が前記カバーユニットの下部方向に傾斜していることを特徴とする、請求項１に記載の照明装置。
【請求項３】
前記カバーユニットが、前記光源からの照明光を拡散透過・拡散反射させるカバー下部と、該カバー下部で一部拡散反射された照明光を再度カバー下部に向けて拡散反射するカバー上部とから構成され、
前記カバー下部が前記カバーユニットの下部に、前記カバー上部が前記カバーユニットの上部に位置するように、前記カバー下部と前記カバー上部とが一体成形されていることを特徴とする、請求項１又は２に記載の照明装置。
【発明の詳細な説明】
【技術分野】
【０００１】
本発明は、光源にＬＥＤを用いた照明装置に関するものであり、特に器具本体とカバーユニットとで構成された天井面に設置される照明装置に関する。
【背景技術】
【０００２】
ＬＥＤを光源とする、天井面に取り付けられた照明器具は、主にベースとなる器具本体と発光部となるカバーユニットとで構成され、カバーユニットにはＬＥＤ実装基板が内蔵される。例えば、特許文献１及び特許文献２には、光源として用いる複数のＬＥＤチップを実装したＬＥＤ実装基板を内蔵したカバーユニットと、天井面への取り付け構造を有し、カバーユニットを保持する器具本体とによって構成される照明装置が開示されている。
【０００３】
特許文献１に示す照明装置では、カバーユニットがＬＥＤからの照明光を透過・拡散・反射させる表カバー部（本願のカバー下部に相当）と、表カバー部で一部反射された照明光を再度表カバー部に向けて反射・拡散する裏カバー部（本願のカバー上部に相当）とを備えており、当該裏カバー部と基板ホルダーとの間にＬＥＤ実装基板を狭持して固定する構造になっている。
【先行技術文献】
【特許文献】
【０００４】
【特許文献１】再表２０１５−１１５５１７号公報
【特許文献２】特開２０１６−０８１８９９号公報
【発明の概要】
【発明が解決しようとする課題】
【０００５】
特許文献１に示す照明装置では、カバーユニットの裏カバー部と基板ホルダーとでＬＥＤ実装基板を固定しているので、当該ＬＥＤ実装基板が当接しない側の基板ホルダーの面に電源等を固定しようとする場合、重なり合っている基板ホルダー及びカバーユニットの裏カバー部の両方を貫通させた孔を開けなければならないという問題がある。
【０００６】
また、特許文献２に示す照明装置では、特許文献１に示す照明装置とは異なり、透光性カバーと反射部材とを別構造としており、第１反射部材と発光素子基板とを重ね合わせた状態で固定部材によって支持部材に固定している。このような構造であれば、電源等を支持部材の基板支持面の裏面に固定する場合、支持部材にのみ孔を開ければこと足りるものの、反射部材が透光性カバーと別構造であることにより、照明装置の組み立て作業が煩雑になるという問題がある。
【０００７】
本発明は、このような点に鑑みてなされたものであり、電源等を固定するための固定部材の固定要素を、照明光が拡散反射する領域から外すことができるとともに、組み立て作業が容易な照明装置を提供することを目的とする。
【課題を解決するための手段】
【０００８】
上記目的を達成するために、本発明は、天井面に取り付けられる長尺状の器具本体と、発光素子を実装する基板及び該基板を保持する保持部材から構成される光源と、該光源を上部に取り付けた状態で、前記器具本体の下側に着脱自在に装着される長尺状のカバーユニットと、を備え、前記カバーユニットの上部には、前記発光素子が前記カバーユニットの内部に向かって露出するように開口部が形成されており、前記カバーユニットの上部における前記開口部の長手方向両側の周辺部と前記保持部材との間に空間が形成されていることを特徴とする照明装置を提供する（発明１）。
【０００９】
上記発明（発明１）によれば、カバーユニットの上部における開口部の長手方向両側の周辺部と保持部材との間に空間が形成されているため、発光素子を実装する基板が当接しない側の保持部材面に電源等を固定しようとする場合、電源等を固定するための固定部材の固定要素（例えば、ビスの頭等）をカバーユニットの上部における開口部の長手方向両側の周辺部と保持部材との間の空間に位置させることで、照明光が拡散反射する領域から外すことができる。
【００１０】
上記発明（発明１）においては、前記周辺部が前記カバーユニットの下部方向に傾斜していることが好ましい（発明２）。
【００１１】
上記発明（１，２）においては、前記カバーユニットが、前記光源からの照明光を拡散透過・拡散反射させるカバー下部と、該カバー下部で一部拡散反射された照明光を再度カバー下部に向けて拡散反射するカバー上部とから構成され、前記カバー下部が前記カバーユニットの下部に、前記カバー上部が前記カバーユニットの上部に位置するように、前記カバー下部と前記カバー上部とが一体成形されていてもよい（発明３）。
【００１２】
上記発明（発明３）によれば、光源からの照明光を拡散透過・拡散反射させるカバー下部と、該カバー下部で一部拡散反射された照明光を再度カバー下部に向けて拡散反射するカバー上部が一体成形されて構成されるので、組み立て作業が容易になる。また、特にカバーユニットの上部における開口部の長手方向両側の周辺部がカバーユニットの下部方向に傾斜している場合、光源から出射される水平方向の光成分をカバー上部の傾斜面によって直下方向に拡散反射させることができるため、直下方向の照度を向上させることができる。
【発明の効果】
【００１３】
本発明の照明装置によれば、電源等を固定するための固定部材の固定要素を、照明光が拡散反射する領域から外すことができる。
【図面の簡単な説明】
【００１４】
【図１】本発明の一実施形態に係る照明装置の構成を示す要部斜視図である。
【図２】同実施形態に係る照明装置の構成を示す断面図である。
【図３】同実施形態に係る照明装置のカバーユニットを器具本体から回動させて外した状態を示す断面図である。
【図４】同実施形態に係る照明装置のカバーユニットにおける光線の広がりを示す断面模式図である。
【図５】同実施形態に係る照明装置のカバーユニットの構造を示す断面模式図である。
【図６】同実施形態に係る照明装置のカバーユニットから光源を取り外した状態と、光源を取り付けた状態との形状の変化を示す、カバーユニットの断面模式図である。
【発明を実施するための形態】
【００１５】
以下、本発明の実施形態を図面に基づいて詳細に説明する。図１は本発明の一実施形態に係る照明装置１の構成を示す要部斜視図であり、図２は同構成を示す断面図である。照明装置１は、天井面への取り付け構造を有する器具本体１０と、光源として用いる複数のＬＥＤ２１を実装した長尺状の実装基板２０を内蔵する長尺状のカバーユニット３０を備えている。実装基板２０には、複数のＬＥＤ２１が長さ方向に等間隔に実装されている。カバーユニット３０は、実装基板２０を上部に取り付けた状態で、器具本体１０の下側に着脱自在に装着される。図１では、カバーユニット３０は、実装基板２０を見せるために、左方部が除去されて図示されている。
【００１６】
器具本体１０は、幅方向に見て左右が傾斜部１０ａ、１０ｂを形成し、左右に垂直部１０ｅ、１０ｆ、天井側が水平部１０ｇとなった断面がコ字状に長さ方向に伸延する長尺状の部材であり、例えば一枚の金属板により作製される。このように器具本体１０が傾斜部１０ａ、１０ｂを有することにより、器具本体１０の長手方向の側面は、天井面側からカバーユニット３０が装着される側に向かって内側に傾斜する傾斜側面となっている。
【００１７】
器具本体１０は、その水平部１０ｇに開けられた穴から木ねじで固定したり、または天井からのアンカーボルト（不図示）にナット（不図示）を螺合したりすることによって器具本体１０を天井に取り付けて固定させることができる。また、器具本体１０の垂直部１０ｅ、１０ｆ並びに水平部１０ｇで形成される空間には、発光素子であるＬＥＤ２１を実装した実装基板２０に電力を供給する電源ユニット（不図示）や係止部材３４、Ｖ字コイルばね４０が収納される。器具本体１０の水平部１０ｇにはＶ字コイルばね４０を取り付けるための長穴（断面位置の関係で、図２、図３などでは不可視）を有する取付部材１１がねじなどで固定されている。
【００１８】
実装基板２０は保持部材２２に保持されており、実装基板２０は保持部材２２を介してカバーユニット３０の上部に取り付けられる。保持部材２２の幅方向両側部にはカバーユニット３０を取り付けるための嵌合溝２２ａ、２２ｂが形成されており、また、保持部材２２の幅方向中央部には実装基板２０を保持するための一対の基板係合部２２ｃ、２２ｄが形成されている。
【００１９】
カバーユニット３０は、拡散透過・拡散反射性を有するカバー下部３１と拡散反射性を有するカバー上部３２とからなるプラスチックにより一体に成形された長尺状の部材であり、器具本体１０とほぼ同じに長さ方向に伸延している。カバー下部３１は概ねカバーユニット３０の下部を構成しており、光源からの照明光を拡散透過・拡散反射させる。カバー上部３２は概ねカバーユニット３０の上部を構成しており、カバー下部３１で一部拡散反射された照明光を再度カバー下部３１に向けて拡散反射する。なお、カバー下部３１とカバー上部３２は一体成形部材であるが、異なる光学特性を有する。そのため、図２、図３及び図４では、両部材３１、３２は光学特性が異なることを示すために、異なる角度の斜線で断面図示されている。具体的には、左下がりの斜線でハッチングの入れられた部分がカバー下部３１、右下がりの斜線でハッチングの入れられた部分がカバー上部３２である。
【００２０】
カバーユニット３０の構造をより明確にするため、図５にカバーユニット３０のみの断面模式図を示す。図５において、白く塗りつぶされている部分（カバーユニット３０の下部）がカバー下部３１、黒く塗りつぶされている部分（カバーユニット３０の上部）がカバー上部３２である。なお、図５における断面の塗りつぶしは説明目的のものであり、実際にそのような色の濃淡が付けられることを示すものではない。
【００２１】
カバー下部３１は幅方向の両端が傾斜して傾斜部３１ａ、３１ｂを形成し、中央が平らな平坦部３１ｃとなっている。カバー下部３１の傾斜部３１ａ、３１ｂはそれぞれ器具本体１０の傾斜部１０ａ、１０ｂと同じ傾斜角度となっているため、カバーユニット３０の長手方向の側面は、器具本体１０の側面と略平行に形成されているが、カバーユニット３０が器具本体１０に装着される部分、すなわち器具本体１０の傾斜部１０ａ、１０ｂのカバーユニット３０側の端縁がカバーユニット３０に当接する部分において、カバーユニット３０の長手方向の両側面が、それぞれ同じ側の器具本体１０の長手方向の側面よりも幅方向において外側に位置している。そのため、カバーユニット３０を器具本体１０に取り付けたとき、カバー下部３１の傾斜部３１ａ、３１ｂと器具本体１０の傾斜部１０ａ、１０ｂとの間に段差が生じる。
【００２２】
このように、カバーユニット３０が器具本体１０に装着される部分において、カバーユニット３０の長手方向の側面が、同じ側の器具本体１０の長手方向の側面よりも幅方向において外側に位置していることにより段差が生じ、この段差を利用して作業員等がカバーユニット３０に指をかけてつかむことができるため、容易に器具本体１０からカバーユニット３０を取り外すことができる。また、このような構造にすることにより、わざわざカバーユニット３０の側面を作業員等がつかみ易い形状にする必要がなくなり、カバーユニット３０の形状を発光効率が高くなるように成形することができる。
【００２３】
特に本実施形態では、カバーユニット３０の長手方向の両側面を、それぞれ同じ側の器具本体１０の長手方向の側面よりも幅方向において外側に位置するように構成することにより長手方向両側に段差が生じるため、より作業員等がカバーユニット３０に指をかけてつかみ易くすることができ、かつ照明装置１全体の見た目をバランスよく設計することができる。また、カバーユニット３０と器具本体１０との間に意図的に隙間があるようなデザインとすることにより、照明装置１全体の見た目を美しいものとすることができる。
【００２４】
カバーユニット３０のカバー下部３１は、その傾斜部３１ａ、３１ｂの器具本体１０に装着される側の端縁部３１１ａ、３１１ｂが、それぞれ器具本体１０の傾斜部１０ａ、１０ｂに沿う方向に突出するフランジ状に形成されている。このようにカバーユニット３０の側面端縁部にフランジが形成されていることにより、より作業員等がカバーユニット３０に指をかけてつかみ易くすることができる。
【００２５】
カバーユニット３０のカバー上部３２は、その幅方向の両端近傍に器具本体１０方向に突出した爪部３２ａ、３２ｂが形成されており、保持部材２２の両側部に設けられた嵌合溝２２ａ、２２ｂにそれぞれ嵌合している。また、カバー上部３２の中央には、開口部３２ｃが形成されており、この開口部３２ｃに、実装基板２０に実装されたＬＥＤ２１がカバーユニット３０の内部に向かって露出するようになっている。
【００２６】
カバー上部３２の開口部３２ｃの長手方向両側には、カバーユニット３０の下部方向に傾斜する周辺部３２ｄ、３２ｅが形成されている。周辺部３２ｄ、３２ｅの開口部３２ｃ近傍の端縁部３２１ｄ、３２１ｅは、実装基板２０側に向かう方向に湾曲しており、端縁部３２１ｄ、３２１ｅは保持部材２２の基板係合部２２ｃ、２２ｄを巻き込むようにして保持部材２２の基板係合部２２ｃ、２２ｄに当接している。なお、端縁部３２１ｄ、３２１ｅは実装基板２０とは当接していない。
【００２７】
周辺部３２ｄ、３２ｅがカバーユニット３０の下部方向に傾斜していることにより、カバーユニット３０のカバー上部３２と保持部材２２との間には空間３３が形成されている。この空間３３が設けられていることにより、保持部材２２の実装基板２０が当接しない側の面に電源等を固定しようとする場合、電源等を固定するための固定部材の固定要素（例えば、ビスの頭等）を空間３３に位置させることができるため、照明光が拡散反射する領域から外すことができる。
【００２８】
また、カバー下部３１の長手方向両側面（傾斜部３１ａ、３１ｂ）が傾斜していることから、カバー下部３１とカバー上部３２間には略逆台形形状の空間が形成され、後述するように、ＬＥＤ２１から発光する指向性のある照明光はこの空間内で拡散透過する一部の光束を除いて拡散反射を繰り返す。カバーユニット３０をこのような形状とすることにより、照明装置１は光学的に拡散性がよく、発光効率の高いものとなっている。
【００２９】
カバーユニット３０のカバー下部３１とカバー上部３２は、公知のダブルモールド(二色成形)を用いて成形され、カバーユニット３０は、一次側となるカバー下部３１を成形してから同一金型内で二次側となるカバー上部３２を一次側のカバー下部３１と一体にして成形させる（一次側をカバー上部３２、二次側をカバー下部３１としてもよい）。カバー下部３１とカバー上部３２には、例えばポリカーボネート（あるいはアクリル）が用いられる。カバー下部３１が拡散透過性・拡散反射性を有し、カバー上部３２が拡散反射性を有する。
【００３０】
本実施形態では、光学特性の異なるカバー下部３１とカバー上部３２とが一体成形されて構成されるので、別途反射部材等をカバーユニット３０内部に取り付ける必要がなく、組み立て作業が容易になる。
【００３１】
なお、カバー下部３１は色素を混ぜて成形することも可能なので、例えば黄色く着色することもできる。このように、カバー下部３１に、黄色の色素を含ませると、白色光源の発光スペクトルから５００ｎｍ以下の波長の光束をカットすることができるので、高感度の感光材料を使用する半導体工場のクリーンルーム向けに適した、いわゆる「イエローランプ」と呼ばれる高感度の感光材料を感光させない照明装置が得られる。
【００３２】
照明装置１には、カバーユニット３０を器具本体１０に係止させるための金属製の係止部材３４が設けられる。係止部材３４は、器具本体１０の垂直部１０ｅに形成された長穴（断面位置の関係で、図２、図３などでは不可視）に係止する爪部３４ａを有し、保持部材２２とねじなどで固定される。係止部材３４には、爪部３４ａの逆側に、Ｖ字コイルばね４０を係止する係止部３４ｂが形成されている。
【００３３】
Ｖ字コイルばね４０は、一本の金属線を曲げてＶ字形状に形成されるものであり、金属線が複数回コイル巻きされた巻き部４１と、巻き部４１の両端から延設されて形成された一対のアーム部４２ａ、４２ｂとからなる。
【００３４】
Ｖ字コイルばね４０の一対のアーム部４２ａ、４２ｂをＶ字が閉じるように握り、この状態でアーム部４２ａ、４２ｂを器具本体１０に固定された取付部材１１の長穴に挿し込んでからアーム部４２ａ、４２ｂを解放すると、Ｖ字コイルばね４０の一対のアーム部４２ａ、４２ｂが取付部材１１に係止された状態で保持される。この状態からカバーユニット３０を上方に持ち上げるとばねの復元力によりＶ字コイルばね４０が自然状態に戻る。この復元力により保持部材２２を取り付けた状態のカバーユニット３０は器具本体１０へと装着される。カバーユニット３０の上方への移動は、器具本体１０の垂直部１０ｅ、１０ｆの下側端縁にカバーユニット３０のカバー上部３２が当接するまで行われ、それによりカバーユニット３０は器具本体１０に固定的に取り付けられる。
【００３５】
一方、カバーユニット３０を、Ｖ字コイルばね４０の付勢力に抗して下方に引き下げると、カバーユニット３０は、Ｖ字コイルばね４０の一対のアーム部４２ａ、４２ｂが取付部材１１に係止された状態まで開かれ、さらにそこからアーム部４２ａ、４２ｂをＶ字が閉じるように握りながら取付部材１１の長穴から抜き出すことで、図３に示したように、器具本体１０の垂直部１０ｅに設けた長穴を中心に水平な位置から垂直位置に回動する。
【００３６】
図４には、ＬＥＤ２１を点灯したときの照明光の経路が摸式的に図示されている。カバー下部３１の傾斜部３１ａ、３１ｂ、あるいは平坦部３１ｃに向かう照明光は、主にはカバー下部３１を拡散透過して対象物を照明する。また、カバー下部３１は、拡散反射性も少しあるので、照明光の一部がカバー上部３２の方向に向かい、そこで拡散反射されて再びカバー下部３１の方向に向かう。加えてＬＥＤ２１からの照明光の一部は水平方向にも向かうが、カバー上部３２の周辺部３２ｄ、３２ｅが下向きに傾斜していることにより、この水平方向の光成分も直下方向に拡散反射されてカバー下部３１の方向に向かう。このように、照明光はカバー下部３１とカバー上部３２間に形成された空間内で透過する一部の光束を除いて反射、拡散を繰り返すので、全面で均一となった発光面が得られる。
【００３７】
本実施形態の照明装置１では、カバーユニット３０の上部の周辺部３２ｄ、３２ｅがカバーユニット３０の下部方向に傾斜していることにより、ＬＥＤ２１から出射される水平方向の光成分をカバー上部３２によって直下方向に拡散反射させることができるため、従来の照明装置よりも直下方向の照度を向上させることができる。特に、図４中のＡ部詳細に示すように、周辺部３２ｄ、３２ｅの開口部３２ｃ近傍の端縁部３２１ｄ、３２１ｅが実装基板２０側に向かう方向に湾曲していることにより、より効率的にＬＥＤ２１から出射される水平方向の光成分を直下方向に反射させることができる。
【００３８】
図６は、照明装置１のカバーユニット３０の断面模式図であり、カバーユニット３０から保持部材２２を取り外した状態と、保持部材２２を取り付けた状態との形状の変化を示すものである。図６に示すように、カバーユニット３０は、実装基板２０を保持した状態の保持部材２２を上部に取り付けていない状態においては、カバー上部３２の周辺部３２ｄ、３２ｅの傾斜度合いが保持部材２２を上部に取り付けた状態よりも大きく形成されている。このような形状にカバーユニット３０を形成していることにより、保持部材２２を上部に取り付けた状態では保持部材２２の基板係合部２２ｃ、２２ｄが周辺部３２ｄ、３２ｅを下方向に押す付勢力が働くこととなり、カバーユニット３０と器具本体１０との固定状態をより安定させることができる。
【００３９】
以上、本発明に係る照明装置について図面に基づいて説明してきたが、本発明は上記実施形態に限定されることはなく、種々の変更実施が可能である。
【００４０】
例えば、本実施形態においては、カバーユニットが器具本体に装着される部分において、カバーユニットの長手方向の両側面が、それぞれ同じ側の器具本体の長手方向の側面よりも幅方向において外側に位置していることにより、照明装置の長手方向側面の両側に段差を生じさせているが、これに限られるものではなく、カバーユニットのどちらか一方の側面に段差を生じさせてもよい。
【００４１】
また、照明装置の形状、器具本体の形状、カバーユニットの形状は様々なバリエーションが考えられ、例えば器具本体やカバーユニットの長手方向の側面が必ずしも傾斜していなくてもよいし、段階的に傾斜している側面や断面視円弧状になっている側面であることも妨げない。また、カバーユニットが器具本体に装着される部分以外において、カバーユニットの長手方向の側面の一部が幅方向において内側に位置するような構成を排除するものでもない。
【符号の説明】
【００４２】
１  照明装置
１０  器具本体
１１  取付部材
２０  実装基板
２１  ＬＥＤ
２２  保持部材
２２ａ、２２ｂ  嵌合溝
２２ｃ、２２ｄ  基板係合部
３０  カバーユニット
３１  カバー下部
３１ａ、３１ｂ  傾斜部
３１ｃ  平坦部
３２  カバー上部
３２ａ、３２ｂ  爪部
３２ｃ  開口部
３２ｄ、３２ｅ  周辺部
３３  空間
３４  係止部材
４０  Ｖ字コイルばね
【図１】
2019012644.tif 000003
【図２】
2019012644.tif 000004
【図３】
2019012644.tif 000005
【図４】
2019012644.tif 000006
【図５】
2019012644.tif 000007
【図６】
2019012644.tif 000008